(57)【要約】【課題】複数種類の光ディスクに対して１つの対物レンズで対応でき、コマ収差を適切に抑制できる構造を有して歩留まりの改善が期待できる光ピックアップ装置を提供する。【解決手段】光ピックアップ装置１における、第１の光源１１から対物レンズ１７に至るまでの第１の光学路と、第２の光源２１から対物レンズ１７に至るまでの第２の光学路とには、共通に使用される共通光学路が含まれ、前記共通光学路以外の部分で前記第２の光学路には第２のコマ収差が発生するようになっている。対物レンズ１７そのものが有するコマ収差を第１のコマ収差とした場合に、対物レンズ１７は、第１の光源１１を使用する場合に前記第１のコマ収差が発生しないように光軸に対して傾けられ、且つ、第２の光源２１を使用する場合の前記第１のコマ収差の発生方向と前記第２のコマ収差の発生方向とが打ち消し合う関係となる向きとされて組み付けられている。【選択図】図２
2012038379.tif 000002
【特許請求の範囲】
【請求項１】
第１の光源と、
前記第１の光源とは異なる波長の光を出射する第２の光源と、
前記第１の光源及び前記第２の光源から出射される光を光記録媒体の情報記録面に集光可能に設けられる１つの対物レンズと、
を含む光ピックアップ装置において、
前記第１の光源から前記対物レンズに至るまでの第１の光学路と、前記第２の光源から前記対物レンズに至るまでの第２の光学路とには、共通に使用される共通光学路が含まれ、前記共通光学路以外の部分で前記第２の光学路には第２のコマ収差が発生するようになっており、
前記対物レンズそのものが有するコマ収差を第１のコマ収差とした場合に、
前記対物レンズは、前記第１の光源を使用する場合に前記第１のコマ収差が発生しないように光軸に対して傾けられ、且つ、前記第２の光源を使用する場合の前記第１のコマ収差の発生方向と前記第２のコマ収差の発生方向とが打ち消し合う関係となる向きとされて組み付けられていることを特徴とする光ピックアップ装置。
【請求項２】
前記対物レンズの光軸に対する傾け角を変動できるチルト機構を更に含み、
前記対物レンズは、前記チルト機構によって前記第１のコマ収差及び前記第２のコマ収差の発生方向に傾け可能になっていることを特徴とする請求項１に記載の光ピックアップ装置。
【請求項３】
前記第２のコマ収差は、前記第２の光源の非点収差を補正する目的で光軸に対して傾けて配置される光学部品によって発生するコマ収差であることを特徴とする請求項１又は２に記載の光ピックアップ装置。
【請求項４】
前記第１の光源はブルーレイディスク（ＢＤ）用の光源であり、前記第２の光源はデジタル多用途ディスク（ＤＶＤ）用の光源であることを特徴とする請求項１から３のいずれかに記載の光ピックアップ装置。
【請求項５】
前記第２の光源は、デジタル多用途ディスク（ＤＶＤ）用の光とコンパクトディスク（ＣＤ）用の光とを切り替えて出射可能な２波長光源に含まれていることを特徴とする請求項４に記載の光ピックアップ装置。
【発明の詳細な説明】
【技術分野】
【０００１】
本発明は、光記録媒体に記録される情報の読み取りや光記録媒体への情報の書き込みを行う際に用いられる光ピックアップ装置に関する。
【背景技術】
【０００２】
従来、ブルーレイディスク（以下ＢＤと記載）、デジタル多用途ディスク（以下ＤＶＤと記載）、コンパクトディスク（以下ＣＤと記載）といった３種類の光ディスク（光記録媒体の一例）に対して、情報を読み取ったり、情報を書き込んだりすることが可能な光ピックアップ装置が知られている。
【０００３】
このような光ピックアップ装置の中には、光ディスクの種類によって切り換えて使用される２種類の対物レンズ（例えばＢＤ用の対物レンズと、ＤＶＤ及びＣＤ用の対物レンズとの２種類等）を備えるものがある。また、例えば特許文献１に示されるように、１つの対物レンズのみでＢＤ、ＤＶＤ、ＣＤといった複数種類の光ディスクに対応可能な光ピックアップ装置もある。なお、ここで言う対物レンズは、光源から出射される光を光ディスクの情報記録面に集光するレンズのことである。
【０００４】
対物レンズを１つとした方が小型化し易い等のメリットがある。また、近年においては、対物レンズをプラスチックで作製する技術が向上し、ＢＤ、ＤＶＤ及びＣＤのいずれに対して使用される場合でも球面収差の発生を抑制できるように構成された対物レンズが製造されるようになっている。このようなことから、１つの対物レンズのみでＢＤ、ＤＶＤ、ＣＤといった複数種類の光ディスクに対応可能な光ピックアップ装置に対する市場の期待が高まっている。
【先行技術文献】
【特許文献】
【０００５】
【特許文献１】特開２００８−１８６５３７号公報
【発明の概要】
【発明が解決しようとする課題】
【０００６】
ところで、光ピックアップ装置に備えられる対物レンズはコマ収差を有する場合がある。そして、このような対物レンズが、１つの対物レンズでＢＤ、ＤＶＤ及びＣＤに対応する光ピックアップ装置に備えられる場合がある。この場合、対物レンズで発生するコマ収差は、通常、いずれの光ディスクに対応する場合でもその発生方向はほぼ同じ向きとなるが、対応する光ディスクの種類によってその発生量は異なったものとなる。また、対物レンズの傾き量の変化に対するコマ収差の発生量の変化度合い（コマ収差発生感度）も、対応する光ディスクの種類によって異なったものとなる。
【０００７】
光ピックアップ装置の組み立て時に、対物レンズそのものが有するコマ収差の発生を抑制すべく、対物レンズを光軸に対して傾けて組み付けることが考えられる。しかしながら、上述のように、対応する光ディスクの種類によって対物レンズで発生するコマ収差の量及びコマ収差発生感度が異なる。このために、例えば、ＢＤの場合において対物レンズからの出射光にコマ収差が発生しないように対物レンズを組み付けても、ＤＶＤやＣＤの場合にはコマ収差が残存することになる。
【０００８】
このような残存コマ収差を抑制すべく、液晶素子等で構成されるコマ収差補正素子を配置することも考えられるが、部品点数が増加してコストアップや装置の大型化の原因となるため、このようなコマ収差補正素子の配置は避けることが望まれる。また、対物レンズを傾ける機構（チルト機構）によってコマ収差を補正することも可能であるが、残存コマ収差の量が大きいとチルト機構では十分に補正できない場合も起こり得る。このような場合には、光ピックアップ装置は規格外品（不良品）として取り扱われ、歩留まりが悪くなるといった問題がある。
【０００９】
そこで、本発明の目的は、複数種類の光ディスクに対して１つの対物レンズで対応でき、コマ収差を適切に抑制できる構造を有して歩留まりの改善が期待できる光ピックアップ装置を提供することである。
【課題を解決するための手段】
【００１０】
上記目的を達成するために本発明は、第１の光源と、前記第１の光源とは異なる波長の光を出射する第２の光源と、前記第１の光源及び前記第２の光源から出射される光を光記録媒体の情報記録面に集光可能に設けられる１つの対物レンズと、を含む光ピックアップ装置において、前記第１の光源から前記対物レンズに至るまでの第１の光学路と、前記第２の光源から前記対物レンズに至るまでの第２の光学路とには、共通に使用される共通光学路が含まれ、前記共通光学路以外の部分で前記第２の光学路には第２のコマ収差が発生するようになっており、前記対物レンズそのものが有するコマ収差を第１のコマ収差とした場合に、前記対物レンズは、前記第１の光源を使用する場合に前記第１のコマ収差が発生しないように光軸に対して傾けられ、且つ、前記第２の光源を使用する場合の前記第１のコマ収差の発生方向と前記第２のコマ収差の発生方向とが打ち消し合う関係となる向きとされて組み付けられていることを特徴としている。
【００１１】
本構成の光ピックアップ装置では、第１の光源を使用する場合に、対物レンズを傾けた効果によって対物レンズが有するコマ収差（第１のコマ収差）の発生を抑制できる。また、第２の光源を使用する場合には、前記第１のコマ収差の発生方向と、第２の光源を使用する場合の光学構成に由来して発生するコマ収差（第２のコマ収差）の発生方向と、が打ち消し合う関係となっているために、第２の光源を使用する場合についてもコマ収差の発生を極力抑えることができる。すなわち、本構成の光ピックアップ装置は、コマ収差の規格を外れて不良品となる可能性を低減でき、光ピックアップ装置の歩留まりを改善できる。
【００１２】
上記構成の光ピックアップ装置において、前記対物レンズの光軸に対する傾け角を変動できるチルト機構を更に含み、前記対物レンズは、前記チルト機構によって前記第１のコマ収差及び前記第２のコマ収差の発生方向に傾け可能になっているのが好ましい。これにより、前記第１のコマ収差と前記第２のコマ収差が互いに打ち消しあった後に残存するコマ収差の補正が可能となり、光ピックアップ装置における情報の読み取りや情報の書き込みの性能が劣化するのを防止できる。
【００１３】
上記構成の光ピックアップ装置において、前記第２のコマ収差は、前記第２の光源の非点収差を補正する目的で光軸に対して傾けて配置される光学部品によって発生するコマ収差であることとしてもよい。そして、このような光学部品は、例えば板状ガラスやレンズ等であってもよい。
【００１４】
上記構成の光ピックアップ装置において、前記第１の光源はブルーレイディスク（ＢＤ）用の光源であり、前記第２の光源はデジタル多用途ディスク（ＤＶＤ）用の光源であることとしてもよく、更には、前記第２の光源は、デジタル多用途ディスク（ＤＶＤ）用の光とコンパクトディスク（ＣＤ）用の光とを切り替えて出射可能な２波長光源に含まれるものであってもよい。
【発明の効果】
【００１５】
本発明によれば、複数種類の光ディスクに対して１つの対物レンズで対応でき、コマ収差を適切に抑制できる構造を有して歩留まりの改善が期待できる光ピックアップ装置を提供することができる。
【図面の簡単な説明】
【００１６】
【図１】本実施形態の光ピックアップ装置の構成を示す概略平面図
【図２】本実施形態の光ピックアップ装置の光学構成を示す概略平面図
【図３】本実施形態の光ピックアップ装置が備える対物レンズアクチュエータの構成を示す概略斜視図
【図４】本実施形態の光ピックアップ装置が備える対物レンズアクチュエータのコイル構成を示す概略斜視図
【図５】本実施形態の光ピックアップ装置が備える対物レンズの組み付け方向について説明するための模式図
【発明を実施するための形態】
【００１７】
以下、本発明の光ピックアップ装置の実施形態について、図面を参照しながら詳細に説明する。
【００１８】
図１は、本実施形態の光ピックアップ装置の構成を示す概略平面図で、図１（ａ）は光ピックアップ装置の上面図、図１（ｂ）は光ピックアップ装置の側面図である。なお、図１（ｂ）は、図１（ａ）に示す矢印Ａに沿って見た図である。また、図１（ｂ）には、理解を容易とするために、光ディスクＤも併せて示している。
【００１９】
図１に示すように、本実施形態の光ピックアップ装置１は、ピックアップベース１０と、ピックアップベース１０上に固定配置される対物レンズアクチュエータ３０と、を備えた構成となっている。
【００２０】
ピックアップベース１０の左右の端部には軸受け部１０ａ、１０ｂが設けられている。ピックアップベース１０は、この軸受け部１０ａ、１０ｂによって光ディスクＤの再生や記録を行うための装置である光ディスク装置に設けられるガイドシャフト１００（図１（ａ）に破線で示す）に摺動可能に支持されることになる。光ディスク装置に設けられるガイドシャフト１００は光ディスクＤの半径方向（ラジアル方向）に延びるように配置される。これにより、光ピックアップ装置１は、光ディスクＤの所望のアドレスにアクセスして情報の読み取りや書き込みを行うことが可能になる。
【００２１】
図２は、本実施形態の光ピックアップ装置の光学構成を示す概略平面図である。第１のレーザダイオード（ＬＤ）１１から出射されたレーザ光は、回折素子１２によって主光と２つの副光とに分けられる。回折素子１２を出射したレーザ光は偏光ビームスプリッタ１３によって反射され、コリメートレンズ１４及び１／４波長板１５を通過する。その後、立ち上げミラー１６によって反射されて、立ち上げミラー１６の上方にある対物レンズ１７へと至る。なお、この第１のＬＤ１１から対物レンズ１７へと至る光学路は本発明の第１の光学路に該当する。
【００２２】
対物レンズ１７は、入射したレーザ光を光ディスクＤの情報記録面ＲＳ（図１（ｂ）参照）に集光する機能を有する。対物レンズ１７によって情報記録面ＲＳに集光されたレーザ光は情報記録面ＲＳで反射される。この反射光（戻り光）は、対物レンズ１７を通過後立ち上げミラー１６で反射され、１／４波長板１５、コリメートレンズ１４、偏光ビームスプリッタ１３、ビームスプリッタ１８を順に透過し、センサーレンズ１９によって非点収差を与えられてフォトディテクタ２０に集光する。フォトディテクタ２０は受光した光信号を電気信号に変換する光電変換手段として機能する。
【００２３】
なお、第１のＬＤ１１は、本実施形態ではＢＤ対応のレーザ光源であり、波長４０５ｎｍ帯のレーザ光を出射する。また、コリメートレンズ１４は、球面収差を補正できるように光軸方向（図２の左右方向）に移動できるようにしてもよい。
【００２４】
第２のレーザダイオード（ＬＤ）２１から出射されたレーザ光は、１／２波長板２２で偏光方向を９０°回転され、光軸に対して板面を傾けて配置される（板面と光軸とのなす角が０°より大きく９０°より小さくなるように配置される）平板ガラス２３によって非点収差を付与される。この平板ガラス２３は、第２のＬＤ２１の非点収差（第２のＬＤ２１から出射されるレーザ光に発生する非点収差）を補正する目的で配置されている。
【００２５】
平板ガラス２３を出射したレーザ光は、ビームスプリッタ１８によって反射され、偏光ビームスプリッタ１３を透過後、コリメートレンズ１４及び１／４波長板１５を通過する。その後、立ち上げミラー１６によって反射されて、立ち上げミラー１６の上方にある対物レンズ１７へと至る。なお、この第２のＬＤ２１から対物レンズ１７へと至る光学路は本発明の第２の光学路に該当する。この第２の光学路と上述の第１の光学路とにおいては、偏光ビームスプリッタ１３から対物レンズ１７までの光学路は共通して使用されており、この偏光ビームスプリッタ１３から対物レンズ１７までの光学路は本発明の共通光学路に該当する。
【００２６】
対物レンズ１７で情報記録面ＲＳに集光された後に反射された反射光（戻り光）は、第１のＬＤ１１から出射されたレーザ光の場合と同様の経路でフォトディテクタ２０に至る。なお、第２のＬＤ２１は、本実施形態ではＤＶＤ及びＣＤ対応のレーザ光源であり、波長６５０ｎｍ帯のレーザ光（ＤＶＤ用）と波長７８０ｎｍ帯のレーザ光（ＣＤ用）とを切り換えて出射可能となっている。すなわち、第２のＬＤ２１は２種類の光源を含む構成となっている。このようなレーザ光源は、例えばモノリシックタイプ或いはハイブリッドタイプの２波長レーザであってよい。
【００２７】
以上の光学部品１１〜２３は、いずれもピックアップベース１０上に搭載されるが、対物レンズ１７についてのみ、ピックアップベース１０上に配置される対物レンズアクチュエータ３０に搭載された状態で、ピックアップベース１０に搭載されることになる。対物レンズアクチュエータ３０は、対物レンズ１７をフォーカス方向及びトラック方向に移動可能とするとともに、対物レンズ１７の光軸に対する傾き（ラジアル方向の傾き）を調整可能とする。
【００２８】
なお、フォーカス方向とは光ディスクＤの情報記録面ＲＳと略直交する方向であり、トラック方向とは光ディスクＤの半径方向（ラジアル方向）と略平行な方向である。
【００２９】
ここで、図３及び図４を参照して、光ピックアップ装置１が備える対物レンズアクチュエータ３０の構成について説明しておく。図３は、本実施形態の光ピックアップ装置が備える対物レンズアクチュエータの構成を示す概略斜視図である。図４は、本実施形態の光ピックアップ装置が備える対物レンズアクチュエータのコイル構成を示す概略斜視図である。対物レンズアクチュエータ３０は、大きくは、ピックアップベース１０に固定配置される強磁性のアクトベース３１と、対物レンズ１７を保持するレンズホルダ３２と、を備える。
【００３０】
アクトベース３１上には、レンズホルダ３２を挟むようにタンジェンシャル方向（フォーカス方向Ｆとトラック方向Ｔとの両方に垂直な方向）に対称配置された、一対の永久磁石３３が立設されている。なお、対物レンズアクチュエータ３０においては、永久磁石３３によって作られる磁束を効率良く利用するために、アクトベース３１を折曲形成して得られるヨーク３７が永久磁石３３の外面側に磁着された構成となっている。
【００３１】
レンズホルダ３２には、片側に３本ずつ、両側で計６本となるワイヤ３４の各一端が固定されている。各ワイヤ３４の他端は、アクトベース３１に対して固定配置される回路基板３５に固定され、これにより、レンズホルダ３２はワイヤ３４によって片持ち支持された状態となり、アクトベース３１に対して揺動可能となっている。
【００３２】
なお、アクトベース３１のレンズホルダ３２の下側に該当する部分には図示しない貫通穴が形成されており、ＬＤ１１、２１から出射されたレーザ光がレンズホルダ３２に保持される対物レンズ１７に入射されるようになっている。また、アクトベース３１上には、回路基板３５が固定されるゲルホルダ３６が固定配置されている。そして、その一端がレンズホルダ３２に固定されるワイヤ３４は、一部がゲルホルダ３６のゲル材充填部３６ａに挿通された状態で、他端を回路基板３５に固定されている。ゲル材充填部３６ａに充填されるゲル材は、対物レンズアクチュエータ３０の駆動に応じてワイヤ３４に生じた振動を減衰する役目を果たす。
【００３３】
また、レンズホルダ３２には、レンズホルダ３２の内部側壁に沿って対物レンズ１７の光軸を取り巻くように配置されるフォーカスコイル３２１（図４参照）と、レンズホルダ３２の２つの外部側壁（永久磁石３３と対向する側壁）の対称位置に、それぞれ２つずつ配置される４つのトラックコイル３２２（図３及び図４参照）と、レンズホルダ３２の内部であってフォーカスコイル３２１の下部側に、トラック方向Ｔに対称配置される２つのチルトコイル３２３（図４参照）と、が取り付けられている。これら３種類のコイル３２１〜３２３のそれぞれは、いずれも略矩形状に巻回され、ワイヤ３４を介して回路基板３５から電流が供給されるようになっている。
【００３４】
フォーカスコイル３２１に電流が流れると、永久磁石３３によって作られる磁界との電磁気的な作用によって、電流が流れる向き及び電流の大きさに応じて、対物レンズ１７はレンズホルダ３２と共にフォーカス方向Ｆに移動する。同様に、トラックコイル３２２に電流が流れると、その向き及び大きさに応じて、対物レンズ１７はレンズホルダ３２と共にトラック方向Ｔに移動する。
【００３５】
また、チルトコイル３２３に電流が流れると、その向き及び大きさに応じて、対物レンズ１７は、レンズホルダ３２と共にフォーカス方向Ｆ及びトラック方向Ｔに直交する軸（図３に破線で示す）の軸回り方向Ｒに回転する。この回転によって、対物レンズ１７のラジアル方向の傾き（チルト）調整が可能となる。
【００３６】
本実施形態の光ピックアップ装置１の概略構成は以上のようである。光ピックアップ装置１においては、ＢＤ、ＤＶＤ及びＣＤのうち、いずれの光ディスクＤに対応する場合も同じ対物レンズ１７が使用される。このため、対物レンズ１７は、いずれの光ディスクＤの場合においても球面収差の発生が抑制されるように、回折溝が形成された構成となっている。
【００３７】
しかし、対物レンズ１７は一般にコマ収差（本発明の第１のコマ収差に相当する）を有する。そして、このコマ収差（以下では、対物レンズ１７そのものが有するコマ収差という）の影響を如何に抑制するかが問題となる。本実施形態の光ピックアップ装置１は、この点について工夫がなされており、この工夫について以下説明する。
【００３８】
光ピックアップ装置１においては、対物レンズ１７そのものが有するコマ収差は、その発生方向は通常、ＢＤ、ＤＶＤ及びＣＤでほぼ一致する。しかし、その発生量、及び、コマ収差発生感度（対物レンズ１７の傾き量の変化に対するコマ収差の発生量の変化度合い）は、光ディスクＤの種類によって異なったものとなる。そして、ＢＤの場合にコマ収差発生感度が最も大きくなり、その収差補正が難しくなりやすい。
【００３９】
このような点等を考慮して、光ピックアップ装置１では、ＢＤの場合（第１のＬＤ１１を用いる場合）に対物レンズ１７そのものが有するコマ収差が発生しない（コマ収差がほぼゼロとなる）ように対物レンズ１７を光軸に対して傾ける構成としている。対物レンズ１７を傾ける方向は、対物レンズ１７そのものが有するコマ収差の発生方向によって決まる。
【００４０】
対物レンズ１７の傾斜調整は、レンズホルダ３２に対する対物レンズ１７の取り付け角を調整する構成でもよいし、ピックアップベース１０に対するアクトベース３１の取り付け角を調整する構成でもよい。後者の方が、調整対象となる部材が大きく調整が容易である。
【００４１】
上述のように、光ピックアップ装置１において、対物レンズ１７そのものが有するコマ収差の発生量及びコマ収差発生感度は光ディスクＤの種類によって異なるために、ＢＤの場合に対物レンズ１７そのものが有するコマ収差が発生しないように対物レンズ１７を傾けても、ＤＶＤ及びＣＤの場合（第２のＬＤ２１を使用する場合）には対物レンズ１７そのものが有するコマ収差が発生してしまう。なお、対物レンズ１７を傾けることによって、ＤＶＤ及びＣＤの場合にもコマ収差の発生量は変動する。
【００４２】
このようなことから、ＤＶＤ及びＣＤの場合に発生する上記コマ収差を補正できるようにする必要があり、光ピックアップ装置１では、対物レンズ１７そのものが有するコマ収差の発生方向（対物レンズ１７を光軸に対して傾ける方向とも言える）がラジアル方向となるようにしている。上述のように、対物レンズアクチュエータ３０は対物レンズ１７をラジアル方向に傾けることが可能であり、対物レンズ１７そのものが有するコマ収差の発生方向をラジアル方向とすることで、ＤＶＤ及びＣＤの場合に発生する上記コマ収差の補正が可能となる。
【００４３】
図５に示すように、対物レンズ１７を光軸ＡＸに対して傾ける方向をラジアル方向とする場合、光ディスクＤの内周側に傾けるという第１の条件（図５の（ａ））と、光ディスクＤの外周側に傾けるという第２の条件（図５（ｂ））とのいずれにするかを選択できる。光ピックアップ装置１では、この選択に工夫を施している。なお、図５は、本実施形態の光ピックアップ装置が備える対物レンズの組み付け方向について説明するための模式図である。
【００４４】
光ピックアップ装置１では、ＤＶＤ及びＣＤに対応する場合には第２の光学路を使用する。第２の光学路（正確には、第２の光学路の共通光学路以外の部分）には、非点収差を補正する目的で平板ガラス２３が配置される。この平板ガラス２３は上述のように光軸に対して傾けて配置するためにコマ収差（本発明の第２のコマ収差に相当）を発生する。光ピックアップ装置１では、このコマ収差（以下、部品傾けによるコマ収差という）はラジアル方向に発生するように構成されている。
【００４５】
このため、部品傾けによるコマ収差の発生方向と、ＤＶＤ及びＣＤに対応する場合（第２のＬＤ２１を使用する場合）における対物レンズ１７そのものが有するコマ収差の発生方向とが、互いに打ち消し合う関係とすることができる。そして、このような関係とすることで、対物レンズ１７から出射するレーザ光のコマ収差を小さなものとできる。この点を考慮して、上記第１の条件と第２の条件との選択を行っている。
【００４６】
すなわち、光ピックアップ装置１では、第２の光学路の共通光学路以外の部分で発生するコマ収差（部品傾けによるコマ収差）を対物レンズ１７そのものが有するコマ収差を打ち消すために積極的に利用して、ＤＶＤ及びＣＤの場合に対物レンズ１７からの出射光におけるコマ収差の発生をできる限り抑制しているのである。このため、光ピックアップ装置１は、ＢＤ、ＤＶＤ及びＣＤのうち、いずれの光ディスクＤに対応する場合でも適切にコマ収差を抑制することができる。換言すると、光ピックアップ装置１は、コマ収差の規格を外れて不良品となる可能性が低く、歩留まりの改善が期待できる。
【００４７】
以上に示した実施形態は本発明の一例であり、本発明の光ピックアップ装置は以上に示した構成に限定されるものではない。
【００４８】
例えば、以上に示した実施形態では、第２の光学路の共通光学路以外の部分で発生するコマ収差が平板ガラス２３の光軸に対する傾けによるものとしたが、本発明の適用範囲は、この構成に限定される趣旨ではない。別の理由で、第２の光学路の共通光学路以外の部分でコマ収差が発生する場合にも、本発明は適用できるものである。例えば、コマ収差の発生原因が、平板ガラスではなくレンズ等の傾けであってもよいし、光学部品の傾け以外であってもよい。
【００４９】
また、以上に示した実施形態では、対物レンズ１７そのものが有するコマ収差の発生方向、及び、光学部品（平板ガラス２３）の傾けによるコマ収差の発生方向が、ラジアル方向である構成としたが、別の方向の場合にも本発明は適用できる。
【００５０】
また、以上に示しや実施形態では、対物レンズ１７の光軸に対する傾け角を変動できるチルト機構として対物レンズアクチュエータ３０を用いたが、対物レンズを傾けられればよく、チルト機構の構成は適宜変更してよい。また、チルト機構による対物レンズの傾け方向についても適宜変更してよい。
【００５１】
また、以上に示した実施形態では、第２のＬＤ２１が２波長対応である構成とし、第２のＬＤ２１が２種類の光源を含む構成とした。しかし、本発明はこの構成に限定されない。すなわち、例えば、本発明には、第２のＬＤ２１の位置にＤＶＤ用の波長のみを出射するレーザダイオードを配置する構成（換言すると１種類の光源しか有さない構成）も含まれる。この場合、ＣＤにも対応できる光ピックアップ装置としたいのであれば、他の箇所にＣＤ用のレーザダイオードを配置すればよい。
【００５２】
その他、以上では、光ピックアップ装置１がＢＤ、ＤＶＤ、及びＣＤに対応可能としたが、光ピックアップ装置が対応可能な光ディスクの種類は例示であり、他の光ディスクに対応する光ピックアップ装置に本発明を適用してもよいのは勿論である。
【産業上の利用可能性】
【００５３】
本発明は、複数種類の光ディスクに対して１つの対物レンズで対応可能な光ピックアップ装置に有用である。
【符号の説明】
【００５４】
１  光ピックアップ装置
１１  第１のＬＤ（第１の光源）
１７  対物レンズ
２１  第２のＬＤ（第２の光源を含む）
２３  平板ガラス（光軸に対して傾けられる光学部品）
３０  対物レンズアクチュエータ（チルト機構）
ＡＸ  光軸
Ｄ  光ディスク（光記録媒体）
ＲＳ  情報記録面
【図１】
2012038379.tif 000003
【図２】
2012038379.tif 000004
【図３】
2012038379.tif 000005
【図４】
2012038379.tif 000006
【図５】
2012038379.tif 000007